【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行ない表示結果を導出表示する可変表示装置に特定表示結果が導出表示されたときに遊技者によって有利な特定遊技状態に制御する遊技機であって、
前記特定遊技状態とするか否かを表示結果が導出表示されるよりも前に決定する事前決定手段と、
所定の移行条件が成立したことにもとづいて通常遊技状態であるときに比べて前記事前決定手段により前記特定遊技状態とすると決定される確率が向上した高確率状態に制御する遊技状態制御手段と、
前記通常遊技状態に制御されているときと前記高確率状態に制御されているときとで共通演出を実行する共通演出実行手段と、
前記共通演出実行手段によって前記共通演出が実行される継続期間を第１期間と第１期間よりも長い第２期間とを含む複数の期間のいずれかに決定する継続期間決定手段と、
前記共通演出実行手段によって前記共通演出の実行中の所定のタイミングにおいて前記共通演出が前記第１期間を超えて継続するか否かを報知する継続報知演出を実行可能な可変表示期間を決定する継続報知実行期間決定手段と、
前記継続報知実行期間決定手段によって決定された可変表示期間において前記継続報知演出を実行する継続報知演出実行手段とを備え、
前記継続期間決定手段は、遊技状態が前記高確率状態に制御される場合には、前記高確率状態に制御されない場合に比べて、前記継続期間を前記第１期間よりも前記第２期間に高い割合で決定し、
前記所定のタイミングよりも前に前記共通演出が前記第１期間を超えて継続する旨の報知が実行されたときには、前記可変表示期間において前記継続報知演出の実行に代えて異なる価値を付与することを特徴とする、遊技機。
【請求項２】
各々を識別可能な複数種類の識別情報の可変表示を行ない表示結果を導出表示する可変表示装置に特定表示結果が導出表示されたときに遊技者によって有利な特定遊技状態に制御する遊技機であって、
前記特定遊技状態とするか否かを表示結果が導出表示されるよりも前に決定する事前決定手段と、
所定の移行条件が成立したことにもとづいて通常遊技状態であるときに比べて前記事前決定手段により前記特定遊技状態とすると決定される確率が向上した高確率状態に制御する遊技状態制御手段と、
前記通常遊技状態に制御されているときと前記高確率状態に制御されているときとで共通演出を実行する共通演出実行手段と、
前記共通演出実行手段によって前記共通演出が実行される継続期間を第１期間と第１期間よりも長い第２期間とを含む複数の期間のいずれかに決定する継続期間決定手段と、
前記共通演出実行手段によって前記共通演出の実行中の所定のタイミングにおいて前記共通演出が前記第１期間を超えて継続するか否かを報知する継続報知演出を実行可能な可変表示期間を決定する継続報知実行期間決定手段と、
前記継続報知実行期間決定手段によって決定された可変表示期間において前記継続報知演出を実行する継続報知演出実行手段とを備え、
前記継続期間決定手段は、遊技状態が前記高確率状態に制御される場合には、前記高確率状態に制御されない場合に比べて、前記継続期間を前記第１期間よりも前記第２期間に高い割合で決定し、
前記所定のタイミングよりも前に前記共通演出が前記第１期間を超えて継続する旨の報知が実行されたときには、前記可変表示期間において前記継続報知演出の実行に代えて前記継続報知演出とは演出態様の異なる特別演出を実行することを特徴とする、遊技機。
【手続補正２】
【補正対象書類名】明細書
【補正対象項目名】０００６
【補正方法】変更
【補正の内容】
【０００６】
（１）  各々を識別可能な複数種類の識別情報（たとえば、演出図柄）の可変表示を行ない表示結果を導出表示する可変表示装置（たとえば、演出表示装置９）に特定表示結果（たとえば、大当り図柄）が導出表示されたときに遊技者によって有利な特定遊技状態（たとえば、大当り遊技状態）に制御する遊技機（たとえば、パチンコ遊技機１）であって、
前記特定遊技状態とするか否かを表示結果が導出表示されるよりも前に決定する事前決定手段（たとえば、遊技制御用マイクロコンピュータ５６０、図１９のステップＳ２１５，ステップＳ２２１、図２２のステップＳ６１〜ステップＳ６３，ステップＳ７１〜ステップＳ７４）と、
所定の移行条件が成立したこと（たとえば、確変大当りまたは突確大当りが発生したこと）にもとづいて通常遊技状態であるときに比べて前記事前決定手段により前記特定遊技状態とすると決定される確率が向上した高確率状態（たとえば、確率変動状態（確変状態ともいう））に制御する遊技状態制御手段（たとえば、遊技制御用マイクロコンピュータ５６０、図２７のステップＳ１７０）と、
前記通常遊技状態に制御されているときと前記高確率状態に制御されているときとで共通演出（たとえば、時短状態での演出図柄の変動表示の変動表示時間を短縮する演出）を実行する共通演出実行手段（たとえば、遊技制御用マイクロコンピュータ５６０、図２３のステップＳ８５，ステップＳ８９Ａ，ステップＳ８９Ｂ、演出制御用マイクロコンピュータ１００、図４０のステップＳ１１１９，ステップＳ１１２６，図３７のステップＳ８００６，図４２のステップＳ８１０５）と、
前記共通演出実行手段によって前記共通演出が実行される継続期間（たとえば、時短継続回数）を第１期間と第１期間よりも長い第２期間とを含む複数の期間（たとえば、３０回、６０回、１００回および次回の大当りまで）のいずれかに決定する継続期間決定手段（たとえば、遊技制御用マイクロコンピュータ５６０、図２７のステップＳ１７１）と、
前記共通演出実行手段によって前記共通演出の実行中の所定のタイミング（たとえば、時短回数の区切り回数としての３０回、６０回、１００回）において前記共通演出が前記第１期間を超えて継続するか否かを報知する継続報知演出（たとえば、時短継続報知演出、時短非継続報知演出）を実行可能な可変表示期間（たとえば、図６の非リーチＰＡ４−１で指定される変動時間である３０．００秒）を決定する継続報知実行期間決定手段（たとえば、遊技制御用マイクロコンピュータ５６０、図２３のステップＳ８９Ａ，ステップＳ８９Ｃ，ステップＳ９０〜ステップＳ９２）と、
前記継続報知実行期間決定手段によって決定された可変表示期間において前記継続報知演出を実行する継続報知演出実行手段（たとえば、演出制御用マイクロコンピュータ１００、図４１のステップＳ１１３３，ステップＳ１１３４、図３７のステップＳ８００６、図４２のステップＳ８１０５）とを備え、
前記継続期間決定手段は、遊技状態が前記高確率状態に制御される場合には、前記高確率状態に制御されない場合に比べて、前記継続期間を前記第１期間よりも前記第２期間に高い割合で決定し（たとえば、図１４および図１５、時短回数を多い回数に決定することによって時短期間を長い期間に決定）、
前記所定のタイミングよりも前に前記共通演出が前記第１期間を超えて継続する旨の報知（たとえば、時短継続先行報知、図４７（Ｅ））が実行されたとき（たとえば、演出制御用マイクロコンピュータ１００、図４０のステップＳ１１１５、図３７のステップＳ８００６、図４２のステップＳ８１０５）には、前記可変表示期間において前記継続報知演出の実行に代えて異なる価値を付与する（たとえば、演出制御用マイクロコンピュータ１００、図４１のステップＳ１１４２，ステップＳ１１４３、図３７のステップＳ８００６、図４２のステップＳ８１０５、図４９で示す確変確定報知演出および確変未確定報知演出を実行する）ことを特徴とする。
【手続補正３】
【補正対象書類名】明細書
【補正対象項目名】０００７
【補正方法】変更
【補正の内容】
【０００７】
このような構成によれば、遊技機によって、特定遊技状態とするか否かが表示結果が導出表示されるよりも前に決定され、所定の移行条件が成立したことにもとづいて通常遊技状態であるときに比べて特定遊技状態とすると決定される確率が向上した高確率状態に制御され、通常遊技状態に制御されているときと高確率状態に制御されているときとで共通演出が実行され、共通演出が実行される継続期間が第１期間と第１期間よりも長い第２期間とを含む複数の期間のいずれかに決定され、共通演出の実行中の所定のタイミングにおいて共通演出が第１期間を超えて継続するか否かを報知する継続報知演出を実行可能な可変表示期間が決定され、決定された可変表示期間において継続報知演出が実行され、遊技状態が高確率状態に制御される場合には、高確率状態に制御されない場合に比べて、継続期間が第１期間よりも第２期間に高い割合で決定され、所定のタイミングよりも前に共通演出が第１期間を超えて継続する旨の報知が実行されたときには、可変表示期間において継続報知演出の実行に代えて異なる価値が付与される。
【手続補正４】
【補正対象書類名】明細書
【補正対象項目名】０００８
【補正方法】変更
【補正の内容】
【０００８】
このため、所定のタイミングになるまでに継続報知演出が実行されていないときには、所定のタイミングで共通演出が第１期間を超えて継続するか否かを報知する継続報知演出が実行される。一方、所定のタイミングになるまでに継続報知演出が実行されたときには、可変表示期間において継続報知演出の実行に代えて異なる価値が付与される。その結果、無駄な演出を避けるとともに演出時間を有効に活用することにより、遊技に対する興趣を向上させることが可能な遊技機を提供することができる。
【手続補正５】
【補正対象書類名】明細書
【補正対象項目名】０００９
【補正方法】変更
【補正の内容】
【０００９】
（２）  各々を識別可能な複数種類の識別情報（たとえば、演出図柄）の可変表示を行ない表示結果を導出表示する可変表示装置（たとえば、演出表示装置９）に特定表示結果（たとえば、大当り図柄）が導出表示されたときに遊技者によって有利な特定遊技状態（たとえば、大当り遊技状態）に制御する遊技機（たとえば、パチンコ遊技機１）であって、
前記特定遊技状態とするか否かを表示結果が導出表示されるよりも前に決定する事前決定手段（たとえば、遊技制御用マイクロコンピュータ５６０、図１９のステップＳ２１５，ステップＳ２２１、図２２のステップＳ６１〜ステップＳ６３，ステップＳ７１〜ステップＳ７４）と、
所定の移行条件が成立したこと（たとえば、確変大当りまたは突確大当りが発生したこと）にもとづいて通常遊技状態であるときに比べて前記事前決定手段により前記特定遊技状態とすると決定される確率が向上した高確率状態（たとえば、確率変動状態（確変状態ともいう））に制御する遊技状態制御手段（たとえば、遊技制御用マイクロコンピュータ５６０、図２７のステップＳ１７０）と、
前記通常遊技状態に制御されているときと前記高確率状態に制御されているときとで共通演出（たとえば、時短状態での演出図柄の変動表示の変動表示時間を短縮する演出）を実行する共通演出実行手段（たとえば、遊技制御用マイクロコンピュータ５６０、図２３のステップＳ８５，ステップＳ８９Ａ，ステップＳ８９Ｂ、演出制御用マイクロコンピュータ１００、図４０のステップＳ１１１９，ステップＳ１１２６，図３７のステップＳ８００６，図４２のステップＳ８１０５）と、
前記共通演出実行手段によって前記共通演出が実行される継続期間（たとえば、時短継続回数）を第１期間と第１期間よりも長い第２期間とを含む複数の期間（たとえば、３０回、６０回、１００回および次回の大当りまで）のいずれかに決定する継続期間決定手段（たとえば、遊技制御用マイクロコンピュータ５６０、図２７のステップＳ１７１）と、
前記共通演出実行手段によって前記共通演出の実行中の所定のタイミング（たとえば、時短回数の区切り回数としての３０回、６０回、１００回）において前記共通演出が第１期間を超えて継続するか否かを報知する継続報知演出（たとえば、時短継続報知演出、時短非継続報知演出）を実行可能な可変表示期間（たとえば、図６の非リーチＰＡ４−１で指定される変動時間である３０．００秒）を決定する継続報知実行期間決定手段（たとえば、遊技制御用マイクロコンピュータ５６０、図２３のステップＳ８９Ａ，ステップＳ８９Ｃ，ステップＳ９０〜ステップＳ９２）と、
前記継続報知実行期間決定手段によって決定された可変表示期間において前記継続報知演出を実行する継続報知演出実行手段（たとえば、演出制御用マイクロコンピュータ１００、図４１のステップＳ１１３３，ステップＳ１１３４、図３７のステップＳ８００６、図４２のステップＳ８１０５）とを備え、
前記継続期間決定手段は、遊技状態が前記高確率状態に制御される場合には、前記高確率状態に制御されない場合に比べて、前記継続期間を前記第１期間よりも前記第２期間に高い割合で決定し（たとえば、図１４および図１５、時短回数を多い回数に決定することによって時短期間を長い期間に決定）、
前記所定のタイミングよりも前に前記共通演出が第１期間を超えて継続する旨の報知（たとえば、時短継続先行報知）が実行されたとき（たとえば、演出制御用マイクロコンピュータ１００、図４０のステップＳ１１１５、図３７のステップＳ８００６、図４２のステップＳ８１０５）には、前記可変表示期間において前記継続報知演出の実行に代えて前記継続報知演出とは演出態様の異なる特別演出を実行する（たとえば、演出制御用マイクロコンピュータ１００、図５０で示す確変確定報知演出および確変未確定報知演出を実行する）ことを特徴とする。
【手続補正６】
【補正対象書類名】明細書
【補正対象項目名】００１０
【補正方法】変更
【補正の内容】
【００１０】
このような構成によれば、遊技機によって、特定遊技状態とするか否かが表示結果が導出表示されるよりも前に決定され、所定の移行条件が成立したことにもとづいて通常遊技状態であるときに比べて特定遊技状態とすると決定される確率が向上した高確率状態に制御され、通常遊技状態に制御されているときと高確率状態に制御されているときとで共通演出が実行され、共通演出が実行される継続期間が第１期間と第１期間よりも長い第２期間とを含む複数の期間のいずれかに決定され、共通演出の実行中の所定のタイミングにおいて共通演出が第１期間を超えて継続するか否かを報知する継続報知演出を実行可能な可変表示期間が決定され、決定された可変表示期間において継続報知演出が実行され、遊技状態が高確率状態に制御される場合には、高確率状態に制御されない場合に比べて、継続期間が第１期間よりも第２期間に高い割合で決定され、所定のタイミングよりも前に共通演出が第１期間を超えて継続する旨の報知が実行されたときには、可変表示期間において継続報知演出の実行に代えて継続報知演出とは演出態様の異なる特別演出が実行される。
【手続補正７】
【補正対象書類名】明細書
【補正対象項目名】００１１
【補正方法】変更
【補正の内容】
【００１１】
このため、所定のタイミングになるまでに継続報知演出が実行されていないときには、所定のタイミングで共通演出が第１期間を超えて継続するか否かを報知する継続報知演出が実行される。一方、所定のタイミングになるまでに継続報知演出が実行されたときには、可変表示期間において継続報知演出の実行に代えて継続報知演出とは演出態様の異なる特別演出が実行される。その結果、無駄な演出を避けるとともに演出時間を有効に活用することにより、遊技に対する興趣を向上させることが可能な遊技機を提供することができる。
【手続補正８】
【補正対象書類名】明細書
【補正対象項目名】００１５
【補正方法】変更
【補正の内容】
【００１５】
（４）  上述の（１）から（３）のいずれかの遊技機において、
前記所定のタイミングよりも前に前記共通演出が前記第１期間を超えて継続する可能性を示唆する示唆演出（たとえば、図４７（Ｂ）で示した時短継続先行示唆）を実行する示唆演出実行手段（たとえば、演出制御用マイクロコンピュータ１００、図４０のステップＳ１１１８，ステップＳ１１２３、図３７のステップＳ８００６、図４２のステップＳ８１０５）をさらに備え、
前記示唆演出は、さらに、前記高確率状態であるか否かに応じた演出態様（たとえば、図４０のステップＳ１１２３で、確変状態であるか否かに応じて確率で時短継続先行示唆を実行することが決定される）である。
【手続補正９】
【補正対象書類名】明細書
【補正対象項目名】００１６
【補正方法】変更
【補正の内容】
【００１６】
このような構成によれば、遊技機によって、所定のタイミングよりも前に共通演出が第１期間を超えて継続する可能性を示唆する示唆演出が実行され、示唆演出は、さらに、高確率状態であるか否かに応じた演出態様である。